(57)【特許請求の範囲】
【請求項１】
板状の立設部の下端に脚部を折曲形成し、前記立設部の下方に、鉄筋を交差方向で把持可能な把持片を、上端縁に、鉄筋が交差方向で通過可能な少なくとも１つの切り込みを夫々設けて、前記切り込みの端縁に、鉄筋に沿って折り曲げ可能な支持片を連設する一方、前記立設部に、固化材が通過可能な複数の透孔を穿設してなる簡易法枠用スペーサ。
【請求項２】
請求項１に記載の簡易法枠用スペーサを、法面に配筋した下筋上へ交差状に複数個配置し、下筋を各把持片で把持させる一方、各切り込みを通るように上筋を配筋し、前記上筋及び下筋に沿って立設部の形状に合わせて固化材を吹き付けてなる簡易法枠の施工方法。
【発明の詳細な説明】
【０００１】
【発明の属する技術分野】
本発明は、造成した道路や建物に面する法面に鉄筋を井桁状に配筋し、モルタルやコンクリート等の固化材を吹き付けて形成される簡易法枠に用いられる簡易法枠用スペーサ（以下単に「スペーサ」という）と、そのスペーサを用いた簡易法枠の施工方法とに関する。
【０００２】
【従来の技術】
簡易法枠は、金網を張った法面上に鉄筋を井桁状に配筋し、鉄筋に沿ってモルタルやコンクリート等の固化材を断面半円状等に吹き付けて施工される。この場合、配筋された鉄筋を法枠内の所定高さで支持すると共に、固化材吹き付けの際の法枠形状の均一化のために、鉄筋の途中にスペーサが複数配置される。このスペーサは、半円状や円弧状に折曲した針金等の線材を、複数個線材で連結したものが知られており、各半円状または円弧状部分には、鉄筋の位置決め部となる凹部等が形成されている。
【０００３】
【発明が解決しようとする課題】
上記スペーサにおいては、上下に配した鉄筋を夫々スペーサと結束する手間がかかり、作業性が悪い。特に、スペーサの下側の鉄筋は、法面から浮かせた状態で結束する必要があって、配筋作業がさらに面倒となっている。
一方、スペーサは線材で連結されているから、保管や運搬等の取扱いにも不便となっていた。
【０００４】
そこで、請求項１及び２に記載の発明は、簡易法枠の配筋が良好な作業性で簡単に行え、取扱いにも至便なスペーサまたはそのスペーサを用いた簡易法枠の施工方法を提供することを目的としたものである。
【０００５】
【課題を解決するための手段】
上記目的を達成するために、請求項１に記載の発明は、スペーサの発明として、板状の立設部の下端に脚部を折曲形成し、立設部の下方に、鉄筋を交差方向で把持可能な把持片を、上端縁に、鉄筋が交差方向で通過可能な少なくとも１つの切り込みを夫々設けて、切り込みの端縁に、鉄筋に沿って折り曲げ可能な支持片を連設する一方、立設部に、固化材が通過可能な複数の透孔を穿設してなる構成としたものである。
上記目的を達成するために、請求項２に記載の発明は、簡易法枠の施工方法の発明として、請求項１に記載のスペーサを、法面に配筋した下筋上へ交差状に複数個配置し、下筋を各把持片で把持させる一方、各切り込みを通るように上筋を配筋し、上筋及び下筋に沿って立設部の形状に合わせて固化材を吹き付けてなる構成としたものである。
【０００６】
【発明の実施の形態】
以下、本発明の実施の形態を図面に基づいて説明する。
図１は、本発明のスペーサの斜視図で、スペーサ１は、金属製の薄板で形成され、全体が半円形の立設部２と、その立設部２の下端両側で互いに逆方向へ直角に折曲形成される一対の脚部３，３とからなる。立設部２は、脚部３，３との連設部を除く中央下方に三角形状の開放部４を有し、その開放部４の中央上端には、一対の把持片５，５が下方へ向けて突設されている。この把持片５，５は、後述する簡易法枠の配筋に用いる下筋２２の直径より僅かに大きい間隔を有しているが、下方側の対向縁では、両者間の間隔が上方へ行くに従って徐々に狭くなる突起６，６を夫々形成しており、この突起６，６を越えて下筋２２を上方へ押し込むことで、同図の二点鎖線で示すように下筋２２を立設部２と交差方向で把持可能となっている。
【０００７】
一方、立設部２の上側には、端縁から中心側へ向けて半径方向に切り込み７，７，８が３箇所形成されている。この切り込み７，８は、立設部２の半径方向中間の始端位置で後述する上筋２３の直径よりも僅かに大きい間隔を有し、そこから周縁へ行くに従って徐々に間隔が広くなるテーパ状に形成されて、把持片５，５と同様に立設部２と交差方向に上筋２３が通過可能となっている。但し、中央の切り込み８の下側の端縁には、周縁側へ向けて支持片９が連設されていることから、上筋２３の配筋時には、二点鎖線で示すように支持片９を折り曲げて切り込み８を開放させる。
【０００８】
そして、立設部２には、モルタル等の固化材が通過可能な開口面積で、周縁に沿って帯状の透孔１０，１０・・が形成されると共に、下方部分で把持片５，５の両側にも透孔１１，１１が形成されている。さらに、把持片５，５と切り込み８との間には、透孔１０，１１よりも開口面積の小さい円形の透孔１２，１２・・が複数穿設されている。よって、立設部２は、切り込み７，８や透孔１０，１１等によって、空間の多い平枠状を呈することとなる。
【０００９】
以上の如く構成されたスペーサ１を用いた簡易法枠の施工方法を説明する。
まず、図２に示すように、法面２０にラス金網２１を張り、その金網２１上に、鉄筋（以下「下筋」という）２２，２２・・を井桁状に配筋する。次に、下筋２２上の任意の位置に、本形態のスペーサ１，１・・を、下筋２２と交差状で、且つ立設部２の開放部４で下筋２２を跨ぐように配置し、下筋２２を各スペーサ１における把持片５，５の間に押し込む。すると、下筋２２は、各スペーサ１の把持片５，５によって、結束しなくても金網２１から離れた所定高さで把持される。なお、下筋２２の交差部分は、法面２０に打ち込んだ短い鉄筋（図示せず）等を利用して結束支持させるのが望ましい。また、スペーサ１の脚部３，３には、立設部２に沿った長孔１３が夫々穿設されているため（図１）、法面２０の形状によっては、ラス金網２１と結束したり、長孔１３を通して法面２０に小杭を打ち込んだりしてスペーサ１の固定を図っても良い。
【００１０】
そして、各スペーサ１における中央の切り込み８の支持片９を立設部２と直角に折り曲げた状態で、図３に示す如く、各切り込み８を通るように鉄筋（以下「上筋」という）２３，２３・・を同じく井桁状に配筋する。このとき、切り込み８を通る上筋２３は、切り込み８の下端で折り曲げた支持片９の上に乗る格好となるため、そのままの状態でも上筋２３は安定して位置決めされるが、支持片９を利用して結束しても良い。なお、上筋２３は、必要であれば左右の切り込み７，７も利用して複数本配筋することもできる。
【００１１】
そして、図４のように、下筋２２及び上筋２３に沿ってモルタルまたはコンクリート等の固化材２４の吹き付けを行う。このとき、スペーサ１，１・・を目安にしてこれが埋まる程度に吹き付けを行えば、均等な断面半円状に法枠２５を形成することができる。
こうして法枠２５の形成後（図５）、法枠２５で囲まれる領域２６内に保護材を充填する。この保護材は、モルタルやコンクリート等の固化材の他、草花を植生可能な客土、土嚢等が用いられる。
【００１２】
このように上記形態のスペーサ１及びスペーサ１を用いた簡易法枠の施工方法によれば、把持片５，５及び切り込み７，８を利用して下筋２２及び上筋２３の配筋が簡単に行え、作業の手間や時間が短縮される。また、脚部３，３によって単体で自立できる構造であるから、法面への配置も容易となり、配筋の至便さと合わせて作業性の向上が期待できる。さらに、スペーサ１は単体で取り扱える板状体であるから、複数枚重ねて保管や運搬が行え、取扱いにも至便となる。
一方、立設部２に固化材が通過可能な透孔１０，１１を穿設しているから、スペーサ１の前後での固化材の一体化が確保され、法枠に必要な強度が維持できると共に、透孔以外の部分では法面の傾斜方向の法枠において吹き付け時の固化材の流下を効果的に防ぐことができる。
そして、切り込み８の始端縁に、上筋２３に沿って折り曲げ可能な支持片９を連設したことで、上筋２３の支持と結束とがより簡単に行えるようになっている。
【００１３】
なお、スペーサの立設部の形状は、半円以外に三角形状や四角形状であっても良いし、強度確保のために、縦方向や横方向へ波状に折曲形成したり、固化材との付着のために表面に凹凸を形成したりしても差し支えない。また、透孔の位置や形状も、吹き付け時の固化材の流下防止と一体化とが確保可能であれば適宜変更可能で、脚部の数や形状も自立可能であれば上記構造に限定しない。
さらに、把持片は、数を２対以上に増やして下筋を複数本把持可能としても良いし、その形状も、一対で把持する構造に限らず、フック状の一本で把持できる構造も採用できる。一方、切り込みも、数を増減したり、鉄筋の脱却防止のために下端を半径方向に屈曲させたＬ字状としたりすることができる。そして、支持片も、一つの切り込みに限らず、全ての切り込みに設けても良い。
その他、スペーサは、固化材との付着を考慮すれば金属製が望ましいが、プラスチック等の他の材質も採用可能である。
【００１４】
【発明の効果】
請求項１及び２に記載の発明によれば、立設部の把持片及び切り込みを利用して鉄筋の配筋が簡単に行え、作業の手間や時間が短縮される。また、脚部によって単体で自立できる構造であるから、法面への配置も容易となり、配筋の至便さと合わせて作業性の向上が期待できる。さらに、スペーサは単体で取り扱える板状体であるから、複数枚重ねて保管や運搬が行え、取扱いにも至便となる。
一方、立設部に固化材が通過可能な透孔を穿設したことで、スペーサの前後での固化材の一体化が確保され、法枠に必要な強度が維持できると共に、透孔以外の部分では法面の傾斜方向の法枠において吹き付け時の固化材の流下を効果的に防ぐことができる。
特に、切り込みの端縁に、鉄筋に沿って折り曲げ可能な支持片を連設したことで、鉄筋の支持と結束とがより簡単に行える。
【図面の簡単な説明】
【図１】スペーサの斜視図である。
【図２】簡易法枠の施工方法を示す説明図である。
【図３】簡易法枠の施工方法を示す説明図である。
【図４】簡易法枠の施工方法を示す説明図である。
【図５】簡易法枠の施工方法を示す説明図である。
【符号の説明】
１・・スペーサ、２・・立設部、３・・脚部、４・・開放部、５・・把持片、７，８・・切り込み、１０，１１・・透孔、２２・・下筋、２３・・上筋、２５・・法枠。
【図１】
0003669581.tif 000002
【図２】
0003669581.tif 000003
【図３】
0003669581.tif 000004
【図４】
0003669581.tif 000005
【図５】
0003669581.tif 000006